(57)【特許請求の範囲】
【請求項１】
プラウユニットを連続紙の走行方向に複数組備え、走行する連続紙を各プラウユニットにて３つ折り以上に折り返し可能にしたプラウ折り装置において、
連続紙の上記複数のプラウユニットより走行方向上流側に多列出し用のスリッタユニットを、スリッタ機能をＯＮ、ＯＦＦ可能に、かつ連続紙の幅方向に移動可能にして設け、
上記連続紙の走行方向に複数組備えられたプラウユニットのそれぞれを連続紙の幅方向に移動可能にすると共に、この各プラウユニットの設置位置に、この各プラウユニットをバイパスするバイパス経路を設けた
ことを特徴とするプラウ折り装置。
【発明の詳細な説明】
【０００１】
【発明の属する技術分野】
本発明は、輪転印刷機等において走行する連続紙を、折り目が連続紙の走行方向（縦方向）に向くようにしてプラウにて幅方向に２つ折り、あるいは３つ折り（Ｚ折り）するためのプラウ折り装置に関するものである。
【０００２】
【従来の技術】
図１の（ａ）に示すものは２つ折りの、また（ｂ）に示すものは３つ折りのそれぞれの印刷物ａ，ｂであり、それぞれはプラウ折り装置にて各折り目ｃをつけて、かつこの折り目に沿って折りたたまれている。
【０００３】
上記折り目ｃは図２（ａ），（ｂ）に示すように、例えば２つ折りの場合、１つのプラウｄの先端を連続紙ｅの中間に当接して下側から、あるいは上側から折り目ｃをつけ、このプラウｄの下流側に位置する一対の押圧ローラｆ，ｇにて上記折り目ｃでたたみ合せるようになっている。図２（ａ）は山折り、図２（ｂ）は谷折りをそれぞれ示す。
【０００４】
ところで、この種の従来のプラウ折り装置のプラウユニットは２つ折りの場合は１組、３つ折りの場合は２組用いられる。図３は３つ折りの場合を模式的に示すもので、連続紙ｅの走行方向に位置をずらせて配置した第１，第２のプラウｄ１，ｄ２を用いて３つ折りするようにしている。
【０００５】
【発明が解決しようとする課題】
上記したようにこの種のプラウ折り装置にあっては折り返し回数に応じた数のプラウユニットを備えているが、一般的な装置にあっては３つ折り以上に対応するために、少なくとも２個のプラウを備えている。
【０００６】
このため、このようなプラウ折り装置を設置したユーザにおいては、３つ折り以上のプラウ折りを行う場合にはこの装置を有効に使用することができるが、あまり３つ折りを行わず、殆ど２つ折り作業しかしないユーザにとっては、普段使わない３つ折り以上用のプラウユニットを抱え込むことになり、コスト及びスペースの面で不利になる。
【０００７】
本発明は上記のことにかんがみなされたもので、３つ折り以上の機能を有するプラウ折り装置にあっても、複数のプラウユニットのそれぞれを２つ折り用として単独に用いることができ、２つ折りしか行わないときに、従来余剰になっていた２番目以下のプラウユニットを２つ折りの多列出しに使うことができるようにしたプラウ折り装置を提供することを目的とするものである。
【０００８】
【課題を解決するための手段】
上記目的を達成するために、本発明に係るプラウ折り装置は、プラウユニットを連続紙の走行方向に複数組備え、走行する連続紙を各プラウユニットにて３つ折り以上に折り返し可能にしたプラウ折り装置において、連続紙の上記複数のプラウユニットより走行方向上流側に多列出し用のスリッタユニットを、スリッタ機能をＯＮ、ＯＦＦ可能に、かつ連続紙の幅方向に移動可能にして設け、上記連続紙の走行方向に複数組備えられたプラウユニットのそれぞれを連続紙の幅方向に移動可能にすると共に、この各プラウユニットの設置位置に、この各プラウユニットをバイパスするバイパス経路を設けた構成になっている。
【０００９】
【作  用】
３つ折り以上の折り出しを行う場合はスリッタユニットのスリッタ機能をＯＦＦにして全幅の連続紙を各プラウユニットにて折り出す。
【００１０】
２つ折り出しを行う場合には、スリッタユニットのスリッタ機能をＯＮにして、各プラウユニットによる２つ折りのための幅となるように連続紙を幅方向に切断し、各幅の分割紙を各プラウユニットにて２つ折りを行う。このとき、一方の分割紙が一方のプラウユニットにて２つ折りされる位置での他方の分割紙は、この位置に設けられているバイパス経路を通ってバイパスされて、これより下流側に位置する他方のプラウユニットにて２つ折りされる。そして上記一方のプラウユニットにて２つ折りされた連続紙は、この他方のプラウユニットの位置に設けられているバイパス走行路を通って排出される。
【００１１】
【発明の実施の形態】
本発明の実施の形態を図４以下に基づいて説明する。図４はプラウユニットを２組備えた３つ折り用のプラウ折り装置１を示すもので、図中２は第１のプラウユニット、３は第２のプラウユニットである。これらは連続紙４の走行方向に位置がずれていると共に、幅方向に位置がずれており、図３に示したものと同様に、第１のプラウユニット２にて連続紙４の幅方向１／３の位置で谷折りし、第２のプラウユニット３にて残りの１／３の位置で山折りできるようになっている。
【００１２】
図５は上記プラウユニット２，３の一例を示すもので、図中５ａ，５ｂは前後のフレーム、６ａ，６ｂは上下方向に平行に離間して上記両フレーム５ａ，５ｂに軸方向に摺動自在に支持されたガイドロッドである。この両ガイドロッド６ａ，６ｂのそれぞれの一端部が前側のフレーム５ａより前側で連結部材７にて連結されている。そしてこの連結部材７の中間部には支持筒８の一端が上記ガイドロッド６ａ，６ｂと平行にして固着してある。この支持筒８の内面の一部にはめねじが設けてあり、この支持筒８に調整ねじ軸９が上記めねじに螺合して貫挿してある。この調整ねじ軸９の先端は支持筒８より突出して前側のフレーム５ａに回転自在に、かつ軸方向に係合して支持されている。調整ねじ軸９の基端にはハンドル１０が固着してある。また支持筒８には上記調整ねじ軸９の回転を固定する固定ねじ１１が設けてある。
【００１３】
１２はプラウ支持台であり、このプラウ支持台１２は両フーム５ａ，５ｂの内側に位置して両端部が上記ガイドロッド６ａ，６ｂに摺動自在に支持されている。１３はこのプラウ支持台１２をガイドロッド６ａに固定する固定ねじである。プラウ支持台１２の中間部には２つ割りの軸保持部材１２ａが設けてある。この軸保持部材１２ａをボルト１２ｃにて固着することによりプラウユニット２，３の軸１４の基端部が回転方向に任意の姿勢で固定保持されるようになっている。
【００１４】
プラウユニット２，３は上記軸１４の先端部に固着されるプラウ１５と、プラウ１５の背後に回転自在に設けられたプラウローラ１６とからなっている。プラウ１５の固定はプラウ１５に設けたスリ割り部をボルトにて締めることによりなされるようになっている。各プラウユニット２，３の取付けはプラウ支持台１２のどちら向けにも取付けられる。
【００１５】
なお上記各プラウユニット２，３の連続紙４の走行方向の下流部には押圧ローラ１７，１８があり、またその他に連続紙４を案内及びけん引する他のローラが備えてある。
【００１６】
上記のように構成されるプラウ折り装置１の第１のプラウユニット２の上流側に、連続紙４を幅方向に分割するスリッタユニット１９が設けてある。このスリッタユニット１９はスリッタ２０と、これを受ける受胴２１とからなり、スリッタ２０は連続紙４の幅方向に移動可能にセットされるようになっている。またこのスリッタ２０は受胴２１に対して接離可能になっていて、これの切断機能がＯＮ、ＯＦＦできるようになっている。
【００１７】
次に上記構成のプラウ折り装置の作用を説明する。図４は２組のプラウユニット２，３を用いて連続紙４を３つ折りする場合の紙通し状態を示す。この場合は、スリッタユニット１９のスリッタ２０を受胴２１から離間させてスリッタ機能をＯＦＦにしてある。連続紙４は第１・第２の各プラウユニット２，３にて図３に示すように順次縦折りされる。
【００１８】
図６，図７は２組のプラウユニット２，３を用いて２つ折りで２列出しの場合の紙通し状態を示す。この場合は、スリッタユニット１９のスリッタ２０を受胴２１側へ移動してスリッタ機能をＯＮにしてある。連続紙４はスリッタユニット１９にて幅方向に２分割され、その一方の分割紙４ａが第１のプラウユニット２にて２つ折りされてから第２のプラウユニット３をバイパスして排出される。分割された他方の分割紙４ｂは上記第１のプラウユニット２をバイパスして第２のプラウユニット３にて２つ折りされて排出される。
【００１９】
上記各作用時において、各プラウユニット２，３は連続紙４及び分割紙４ａ，４ｂの折り位置に応じて位置調整し、またスリッタユニット１９のスリッタ２０の位置も、連続紙４の分割寸法に応じた位置にセットする。またスリッタユニット１９のスリッタ２０は１個にかぎるものではなく、プラウユニット２，３の数が５組以上と多い場合等に対応して複数個セットするようにしてもよい。
【００２０】
【発明の効果】
本発明によれば、プラウユニットを複数組備えて３つ折り以上の機能を有するプラウ折り装置において、各プラウユニットを個々に用いた２つ折り出しを多列状に行うことができる。
【００２１】
従って、このようなプラウ折り装置を設置した工場にあっては、２つ折り出し作業を、この２つ折り出しでは従来余剰となっていた２番目以下のプラウユニットを用いて多列出しすることができて、３つ折り以上の複数折り用と、２つ折り、多列出しとを兼用することができる。これにより、設備スペース、コストに無駄がなく、しかも２つ折り、多列出しのためのプラウユニットを接続することなく、生産性の高い２つ折り、多列出しを省スペースで行うことができる。
【図面の簡単な説明】
【図１】（ａ）は２つ折りの印刷物を示す斜視図である。
（ｂ）は３つ折りの印刷物を示す斜視図である。
【図２】（ａ），（ｂ）は２つ折りの折り目をつけて山折り、谷折りに２つ折りする様子を示す斜視図である。
【図３】３つ折り場合の様子を示す模式図である。
【図４】本発明の実施の形態で、かつ３つ折り状態を示す構成説明図である。
【図５】プラウユニットの構成の一例を示す構成説明図である。
【図６】本発明の実施の形態で、かつ２つ折り列出し状態を示す構成説明図である。
【図７】２つ折り列出し状態を概略的に示す作用説明図である。
【符号の説明】
１…プラウ折り装置、２，３…プラウユニット、４…連続紙、５ａ，５ｂ…フレーム、６ａ，６ｂ…ガイドロッド、７…連結部材、８…支持筒、９…調整ねじ軸、１０…ハンドル、１１，１３…固定ねじ、１２…プラウ支持台、１４…軸、１５…プラウ、１６…プラウローラ、１７，１８…押圧ローラ、１９…スリッタユニット、２０…スリッタ、２１…受胴。
【図１】
0004459349.tif 000002
【図２】
0004459349.tif 000003
【図３】
0004459349.tif 000004
【図４】
0004459349.tif 000005
【図５】
0004459349.tif 000006
【図６】
0004459349.tif 000007
【図７】
0004459349.tif 000008